【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
空気調和設備用機器，給湯設備用機器，家事・調理用機器，照明用機器等の設備用機器，ガスメータ，電力メータ，水道メータ等の資源使用量検出用機器，温湿度計等の環境検出用機器，体温計，体重計等の生理量検出用機器，地震計等の物理量検出用機器のうち少なくともひとつの機器と、前記機器にデータの受発信機能を持たせるために設けられた第一の通信手段と、前記第一の通信手段のそれぞれに対してデータの受発信をおこなう第二の通信手段と、前記第一の通信手段および第二の通信手段を通じて取得される前記機器から発信される情報に基づいて起動される機器に対応した機器用プログラムと、前記機器用プログラムの処理を受けて統一された書式のレポートを作成するレポート作成手段と、前記レポートを記憶するレポート記憶手段と、データ入力手段と、表示手段と、前記表示手段に前記レポートを表示させるレポート表示制御手段とを有する情報システム。
【請求項２】
レポート作成手段は、同一のデータサイズのレポートを作成し、レポート表示制御手段は、作成されたレポートを同一の大きさで表示手段に表示する構成とした請求項１記載の情報システム。
【請求項３】
レポート作成手段は、データ量に対応してあらかじめ設定された基準のデータサイズの整数倍の大きさのデータを作成し、基準のデータサイズごとにページを付した一組のレポートとする構成とした請求項１記載の情報システム。
【請求項４】
レポート表示制御手段は、あらかじめ設定された基準のデータサイズに基づく大きさで表示手段に表示し、ページごとに表示を切り替える構成とした請求項３記載の情報システム。
【請求項５】
時間を計時する時計手段と、年月日時分秒のうちの一部または全部と曜日とからなるカレンダーを生成するカレンダー生成手段と、前記時計手段による計時に基づき前記カレンダー生成手段によって生成されるカレンダーを前記表示手段に表示させるカレンダー表示制御手段と、表示手段に表示されたカレンダー上にレポート記憶手段に記憶された個々のレポートの全部または一部を表示するレポート表示制御手段を設けた構成とした請求項１ないし４のいずれか一項記載の情報システム。
【請求項６】
時間を計時する時計手段と、年月日時分秒のうちの一部または全部と曜日とからなるカレンダーを生成するカレンダー生成手段と、前記時計手段による計時に基づき前記カレンダー生成手段によって生成されるカレンダーを前記表示手段に表示させるカレンダー表示制御手段と、表示手段に表示されたカレンダー上にレポート記憶手段に記憶された個々のレポートをそれぞれ代表するアイコンを表示するレポート表示制御手段を設けた構成とした請求項１ないし４のいずれか一項記載の情報システム。
【手続補正２】
【補正対象書類名】明細書
【補正対象項目名】００１０
【補正方法】変更
【補正の内容】
【００１０】
また、例えば、機器用プログラムは、機器の設定，運転状況，異常運転，故障等の状態をレポート作成手段に対して出力する構成とすることにより、機器用プログラムは、機器の状態に関する情報をレポート作成手段に出力するので、機器の設定状態やそのときの運転状態，異常運転の状況，故障の内容がレポートとして使用者に伝えることができる。
【手続補正３】
【補正対象書類名】明細書
【補正対象項目名】００１１
【補正方法】変更
【補正の内容】
【００１１】
また、例えば、機器用プログラムは、機器に設けられたセンサからの情報をレポート作成手段に対して出力する構成とすることにより、機器用プログラムは、たとえば空調機器に設けられている温度センサからの温度データや、体重計のような生理量測定機器からのデータをレポートとして出力し、使用者に提示することができる。
【手続補正４】
【補正対象書類名】明細書
【補正対象項目名】００１２
【補正方法】変更
【補正の内容】
【００１２】
また、例えば、少なくともひとつの情報サーバと、通信回線を通じて前記情報サーバと通信する第三の通信手段を設け、機器用プログラムを情報サーバに置き、機器から発信される情報に基づいて、随時情報サーバと接続する構成とすることにより、機器から情報が発信されると、その機器の種類に応じて、情報サーバ上に置かれた該当するプログラムを起動するか、プログラムをダウンロードして実行し、その結果に基づいてレポートを作成することができる。
【手続補正５】
【補正対象書類名】明細書
【補正対象項目名】００１３
【補正方法】変更
【補正の内容】
【００１３】
また、例えば、レポート作成手段は、機器からの情報に関連する情報を収集する関連情報収集手段を設け、前記関連情報収集手段からの情報を追加してレポートを作成する構成とすることにより、機器からの情報に加えて、他の情報源から関連する情報を集めてレポートを作成することができる。
【手続補正６】
【補正対象書類名】明細書
【補正対象項目名】００１４
【補正方法】変更
【補正の内容】
【００１４】
また、例えば、関連情報収集手段は、そのとき情報を出力している機器以外の機器から情報を収集する構成とすることにより、情報が送られた機器と異なる機器に対して、その情報に関連する他の情報を集めて、レポートに追加することができる。
【手続補正７】
【補正対象書類名】明細書
【補正対象項目名】００１５
【補正方法】変更
【補正の内容】
【００１５】
また、例えば、関連情報収集手段は、情報サーバから情報を収集する構成とすることにより、機器からデータを受けたときに通信回線を通じて外部の情報サーバと接続し、そこに蓄えられた情報の中で、関連する情報を収集してレポートに追加することができる。
【手続補正８】
【補正対象書類名】明細書
【補正対象項目名】００１６
【補正方法】変更
【補正の内容】
【００１６】
また、例えば、レポート作成手段は、機器用プログラムの処理にしたがって使用者からの指示を受けるレポートを作成し、データ入力手段によりそのレポートに入力された内容を機器に返信する構成とすることにより、作成されたレポートに使用者から入力を受け付けて、たとえば、給湯機器においては風呂を沸かす時刻を使用者が設定したり、空調機器においては温度の設定を入力させ、そのデータを機器に返信して、それに基づく運転がされることになる。
【手続補正９】
【補正対象書類名】明細書
【補正対象項目名】００１７
【補正方法】変更
【補正の内容】
【００１７】
また、例えば、レポート作成手段は、使用者の要求に応じて機器用プログラムを起動し、該当する機器からの情報に応じたレポートを作成する構成とすることにより、使用者が機器の運転状態や機器のセンサによる情報を知りたいとき、あるいは、機器の制御をおこないたいときに、データ入力手段により指示すると、それに応じて機器からデータを取得し、それに基づいてレポートを作成することができる。
【手続補正１０】
【補正対象書類名】明細書
【補正対象項目名】００１８
【補正方法】変更
【補正の内容】
【００１８】
また、例えば、レポート作成手段は、情報サーバからの要求に応じて機器用プログラムを起動し、該当する機器からの情報に応じたレポートを作成する構成とすることにより、外部の情報サーバから通信回線を通じてレポート作成を要求すると、それにしたがって機器用プログラムが起動され、所望の機器からデータを取得し、それに基づいてレポートを作成することができる。
【手続補正１１】
【補正対象書類名】明細書
【補正対象項目名】００１９
【補正方法】変更
【補正の内容】
【００１９】
また、例えば、情報サーバ用通信手段は、レポート作成手段により作成されたレポートを通信回線を通じて情報サーバに送信する構成とすることにより、作成されたレポートが通信回線を通じて外部の情報サーバに送信され、そこで参照して機器のメンテナンスなどに使うことができる。
【手続補正１２】
【補正対象書類名】明細書
【補正対象項目名】００２０
【補正方法】変更
【補正の内容】
【００２０】
また、請求項５記載のように時間を計時する時計手段と、年月日時分秒のうちの一部または全部と曜日とからなるカレンダーを生成するカレンダー生成手段と、前記時計手段による計時に基づき前記カレンダー生成手段によって生成されるカレンダーを前記表示手段に表示させるカレンダー表示制御手段と、表示手段に表示されたカレンダー上にレポート記憶手段に記憶された個々のレポートの全部または一部を表示するレポート表示制御手段を設けた構成とすることにより、レポート記憶手段に蓄積されたレポートを表示手段に表示されたカレンダーの所定の日時の位置にレポートの内容全部またはタイトル程度の内容についての情報といったものを表示させこれによって、使用者にレポートの管理をしやすくさせることができる。
【手続補正１３】
【補正対象書類名】明細書
【補正対象項目名】００２１
【補正方法】変更
【補正の内容】
【００２１】
また、請求項６記載のように、時間を計時する時計手段と、年月日時分秒のうちの一部または全部と曜日とからなるカレンダーを生成するカレンダー生成手段と、前記時計手段による計時に基づき前記カレンダー生成手段によって生成されるカレンダーを前記表示手段に表示させるカレンダー表示制御手段と、表示手段に表示されたカレンダー上にレポート記憶手段に記憶された個々のレポートをそれぞれ代表するアイコンを表示するレポート表示制御手段を設けた構成とすることにより、データベースに蓄積されたデータを表示手段に表示されたカレンダーの所定の日時の位置にレポートの内容をわかりやすく表わしたアイコンを表示させ、これによって、使用者にレポートの管理をしやすくさせるとともに、表示面積に制限のある表示手段でも、データを一覧しやすくすることができる。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００６６
【補正方法】削除
【補正の内容】
【手続補正１７】
【補正対象書類名】明細書
【補正対象項目名】００６７
【補正方法】削除
【補正の内容】
【手続補正１８】
【補正対象書類名】明細書
【補正対象項目名】００６８
【補正方法】削除
【補正の内容】
【手続補正１９】
【補正対象書類名】明細書
【補正対象項目名】００６９
【補正方法】削除
【補正の内容】
【手続補正２０】
【補正対象書類名】明細書
【補正対象項目名】００７０
【補正方法】削除
【補正の内容】
【手続補正２１】
【補正対象書類名】明細書
【補正対象項目名】００７１
【補正方法】削除
【補正の内容】
【手続補正２２】
【補正対象書類名】明細書
【補正対象項目名】００７２
【補正方法】削除
【補正の内容】
【手続補正２３】
【補正対象書類名】明細書
【補正対象項目名】００７３
【補正方法】削除
【補正の内容】
【手続補正２４】
【補正対象書類名】明細書
【補正対象項目名】００７４
【補正方法】削除
【補正の内容】
【手続補正２５】
【補正対象書類名】明細書
【補正対象項目名】００７５
【補正方法】削除
【補正の内容】
【手続補正２６】
【補正対象書類名】明細書
【補正対象項目名】００７６
【補正方法】変更
【補正の内容】
【００７６】
さらに、請求項５記載の情報システムによれば時間を計時する時計手段と、年月日時分秒のうちの一部または全部と曜日とからなるカレンダーを生成するカレンダー生成手段と、前記時計手段による計時に基づき前記カレンダー生成手段によって生成されるカレンダーを前記表示手段に表示させるカレンダー表示制御手段と、表示手段に表示されたカレンダー上にレポート記憶手段に記憶された個々のレポートの全部または一部を表示するレポート表示制御手段を設けた構成としたものにおいては、レポート記憶手段に記憶されたレポートを表示手段に表示されたカレンダーの所定の日時の位置にレポートの内容全部またはタイトル程度の内容についての情報といったものを表示させるので、時系列のデータの参照と管理をおこなうことができ、使用者にレポートの管理をいっそうしやすくさせるという有利な効果を有する。
【手続補正２７】
【補正対象書類名】明細書
【補正対象項目名】００７７
【補正方法】変更
【補正の内容】
【００７７】
さらに、請求項６記載の情報システムによれば時間を計時する時計手段と、年月日時分秒のうちの一部または全部と曜日とからなるカレンダーを生成するカレンダー生成手段と、前記時計手段による計時に基づき前記カレンダー生成手段によって生成されるカレンダーを前記表示手段に表示させるカレンダー表示制御手段と、表示手段に表示されたカレンダー上にレポート記憶手段に記憶された個々のレポートをそれぞれ代表するアイコンを表示するレポート表示制御手段を設けた構成としたものにおいては、レポート記憶手段に記憶されたレポートを表示手段に表示されたカレンダーの所定の日時の位置にレポートの内容をわかりやすく表わしたアイコンを表示させる。これによって、表示面積に制限のある表示手段でも、多くのレポートを一覧しやすくなり、多種類のレポートの管理を容易にするという有利な効果を有する。
【手続補正２８】
【補正対象書類名】明細書
【補正対象項目名】００７８
【補正方法】削除
【補正の内容】
【手続補正２９】
【補正対象書類名】明細書
【補正対象項目名】００７９
【補正方法】削除
【補正の内容】